(57)【要約】      （修正有）【課題】ミストノズルに供給する水を加熱して、噴霧させる温水ミスト運転と、ミストノズルに供給する水を加熱せずに、噴霧させる冷水ミスト運転とを選択可能としたミストサウナ装置において、冷水ミスト運転を行うとき、熱媒弁の開故障の有無を判別できるようにしたミストサウナ装置を提供する。【解決手段】ミストサウナ装置１は、熱源機８と、ミストノズル１８と、ミストノズルに水を供給する給水路１９と、給水路に介設した液々熱交換器２０と、熱媒体を液々熱交換器を介して循環させるミスト用熱媒循環路２１とを備え、熱媒体の循環を遮断可能な熱媒弁１２を設けると共に、液々熱交換器の下流側の給水路の部分に水温検出手段２５を設ける。熱源機が作動している状態で冷水ミスト運転が選択されたとき、熱媒弁を閉弁する指令を出力し、出力時点から所定時間経過後に水温検出手段の検出温度が所定温度以上であるか否かを判別する。【選択図】図１
2015150264.tif 000002
【特許請求の範囲】
【請求項１】
熱媒利用端末に加熱した熱媒体を循環させるように作動する熱源機と、浴室に臨むミストノズルと、ミストノズルに水を供給する給水路と、給水路に二次側を介設した液々熱交換器と、熱源機の作動で加熱された熱媒体を液々熱交換器の一次側を介して循環させるミスト用熱媒循環路とを備え、ミスト用熱媒循環路に熱媒体の循環を遮断可能な熱媒弁を設けると共に、液々熱交換器の下流側の給水路の部分に水温検出手段を設けたミストサウナ装置であって、
熱源機を作動させると共に熱媒弁を開弁させて、ミストノズルに供給する水を液々熱交換器を介して加熱して、ミストノズルから噴霧させる温水ミスト運転と、熱媒弁を閉弁させて、ミストノズルに供給する水を加熱せずに、ミストノズルから噴霧させる冷水ミスト運転とを選択可能としたものにおいて、
熱源機が作動している状態で冷水ミスト運転が選択されたとき、熱媒弁を閉弁する指令を出力することと、この出力時点から所定時間経過後に、水温検出手段の検出温度が所定温度以上であるか否かを判別することとを行う検査運転を実行し、検出温度が所定温度以上であると、熱媒弁が開故障をしていると判断することを特徴とするミストサウナ装置。
【請求項２】
前記検査運転中は冷水ミスト運転を開始せず、前記熱媒弁が開故障していると判断しないときに冷水ミスト運転を開始することを特徴とする請求項１記載のミストサウナ装置。
【請求項３】
前記検査運転の開始と同時に冷水ミスト運転を開始し、前記熱媒弁が開故障していると判断したときに冷水ミスト運転を停止することを特徴とする請求項１記載のミストサウナ装置。
【請求項４】
前記熱源機が作動していない状態で冷水ミスト運転が選択されたとき、熱源機を作動させて前記検査運転を実行することを特徴とする請求項１〜３の何れか１項記載のミストサウナ装置。
【発明の詳細な説明】
【技術分野】
【０００１】
本発明は、熱媒利用端末に加熱した熱媒体を循環させるように作動する熱源機と、浴室に臨むミストノズルと、ミストノズルに水を供給する給水路と、給水路に二次側を介設した液々熱交換器と、熱源機の作動で加熱された熱媒体を液々熱交換器の一次側を介して循環させるミスト用熱媒循環路とを備え、ミスト用熱媒循環路に熱媒体の循環を遮断可能な熱媒弁を設けると共に、液々熱交換器の下流側の給水路の部分に水温検出手段を設けたミストサウナ装置に関する。
【背景技術】
【０００２】
従来、この種のミストサウナ装置として、熱源機を作動させると共に熱媒弁を開弁させて、ミストノズルに供給する水を水温検出手段の検出温度が所定の設定温度となるように液々熱交換器を介して加熱して、ミストノズルから噴霧させる温水ミスト運転を行うものが知られている（例えば、特許文献１参照）。また、特許文献１には開示されていないが、上記温水ミスト運転と、熱媒弁を閉弁させて、ミストノズルに供給する水を加熱せずに、ミストノズルから噴霧させる冷水ミスト運転とを選択可能とするミストサウナ装置も知られている。
【０００３】
ところで、熱媒弁は弁が開いた状態で制御不能（開故障）となることがある。この場合、熱源機が作動していると、冷水ミスト運転を行おうとしても、ミスト用熱媒循環路に液々熱交換器の一次側を介して加熱された熱媒体が循環し、ミストノズルに供給する水が加熱されてしまう。然し、上記従来例のものでは、これを異常と判断する制御は行われず、熱媒弁の開故障を認識できない。
【先行技術文献】
【特許文献】
【０００４】
【特許文献１】特開２００６―２８８８１６号公報
【発明の概要】
【発明が解決しようとする課題】
【０００５】
本発明は、以上の点に鑑み、冷水ミスト運転を行うとき、熱媒弁の開故障の有無を判別できるようにしたミストサウナ装置を提供することをその課題としている。
【課題を解決するための手段】
【０００６】
上記課題を解決するために、本発明は、熱媒利用端末に加熱した熱媒体を循環させるように作動する熱源機と、浴室に臨むミストノズルと、ミストノズルに水を供給する給水路と、給水路に二次側を介設した液々熱交換器と、熱源機の作動で加熱された熱媒体を液々熱交換器の一次側を介して循環させるミスト用熱媒循環路とを備え、ミスト用熱媒循環路に熱媒体の循環を遮断可能な熱媒弁を設けると共に、液々熱交換器の下流側の給水路の部分に水温検出手段を設けたミストサウナ装置であって、熱源機を作動させると共に熱媒弁を開弁させて、ミストノズルに供給する水を液々熱交換器を介して加熱して、ミストノズルから噴霧させる温水ミスト運転と、熱媒弁を閉弁させて、ミストノズルに供給する水を加熱せずに、ミストノズルから噴霧させる冷水ミスト運転とを選択可能としたものにおいて、熱源機が作動している状態で冷水ミスト運転が選択されたとき、熱媒弁を閉弁する指令を出力することと、この出力時点から所定時間経過後に、水温検出手段の検出温度が所定温度以上であるか否かを判別することとを行う検査運転を実行し、検出温度が所定温度以上であると、熱媒弁が開故障をしていると判断することを特徴とする。
【０００７】
ここで、熱媒弁が開故障している場合、熱源機が作動していると、ミスト用熱媒循環路に加熱された熱媒体が循環して、液々熱交換器の二次側の水が加熱され続け、水温検出手段の検出温度は熱媒弁の閉弁指令の出力時点から所定時間経過しても所定温度以上となる。従って、本発明の検査運転を実行することにより、熱媒弁の開故障の有無を判別できる。
【０００８】
尚、本発明においては、検査運転中は冷水ミスト運転を開始せず、熱媒弁が開故障していると判断しないときに冷水ミスト運転を開始することができ、また、検査運転の開始と同時に冷水ミスト運転を開始し、熱媒弁が開故障していると判断したときに冷水ミスト運転を停止することもできる。
【０００９】
また、本発明においては、熱源機が作動していない状態で冷水ミスト運転が選択されたとき、熱源機を作動させて検査運転を実行することが望ましい。これによれば、熱源機が作動していない状態で冷水ミスト運転を選択したときにも、熱媒弁の開故障の有無を判別でき、熱媒弁の開故障の早期発見が可能となる。
【図面の簡単な説明】
【００１０】
【図１】本発明の実施形態のミストサウナ装置を具備する浴室暖房機の構成図。
【図２】実施形態のミストサウナ装置が行う制御内容を示すフロー図。
【発明を実施するための形態】
【００１１】
図１を参照して、１は本発明の実施形態のミストサウナ装置を具備する浴室暖房機を示している。浴室暖房機１は、浴室ＢＲの天井部ＢＲａに設置されている。浴室暖房機１の下面カバー２には、吸込み口３と、可変ルーバ４ａ付きの吹出し口４とが開設されている。浴室暖房機１内には、吸込み口３から吹出し口４に至る通風路５が設けられており、この通風路５に、浴室ＢＲ内の空気を吸込み口３から吸込んで吹出し口４から浴室ＢＲ内に送る循環ファン６と、通風路５に流れる空気を加熱する放熱器７とが配置されている。
【００１２】
放熱器７には、後述する熱源機８の作動により加熱した熱媒体が循環される。そして、循環ファン６の作動により吸込み口３から吸込まれた浴室ＢＲの空気が放熱器７で加熱され、温風となって吹出し口４から浴室ＢＲ内に送られ、浴室ＢＲの暖房が行われる。
【００１３】
熱源機８は、バーナ９と、バーナ９で加熱される熱交換器１０とを備えており、この熱交換器１０と熱媒利用端末たる上記放熱器７とが浴室暖房用熱媒循環路１１を介して接続されている。浴室暖房用熱媒循環路１１は、熱交換器１０で加熱された熱媒体を放熱器７に供給する往路１１ａと、放熱器７を通過した熱媒体を熱交換器１０に戻す復路１１ｂとで構成されている。往路１１ａには、開閉弁から成る浴室暖房用熱媒弁１２が介設されており、復路１１ｂには、シスターン１３と循環ポンプ１４とが介設されている。そして、熱源機８を作動させると共に浴室暖房用熱媒弁１２を開弁させると、熱交換器１０で加熱された熱媒体が放熱器７を介して浴室暖房用熱媒循環路１１に循環されるようにしている。尚、熱源機８を作動させるとは、バーナ９を燃焼させ且つ循環ポンプ１４を作動させることを意味するだけでなく、熱交換器１０で加熱しなくても熱媒体の温度が所定の設定温度に達している状態において、バーナ９を燃焼させずに循環ポンプ１４を作動させることも意味する。
【００１４】
また、浴室暖房用熱媒循環路１１には、浴室暖房用熱媒弁１２よりも上流側の往路１１ａの部分から分岐して熱媒体を放熱器７を介さずシスターン１３に戻すバイパス路１１ｃが設けられている。更に、熱媒利用端末として放熱器７以外に床暖房パネル１５を設け、熱源機８の作動により床暖房パネル１５にも熱媒体を加熱しつつ循環できるようにしている。即ち、上記浴室暖房用熱媒循環路１１の復路１１ｂの循環ポンプ１４と熱交換器１０との間の部分から分岐して、熱交換器１０で加熱された熱媒体を床暖房パネル１５に供給する往路１６ａと、床暖房パネル１５を通過した熱媒体をシスターン１３に戻す復路１６ｂとで構成される床暖房用熱媒循環路１６を備えている。往路１６ａには、開閉弁から成る床暖房用熱媒弁１７が介設されている。そして、熱源機８を作動させると共に床暖房用熱媒弁１７を開弁させると、熱交換器１０で加熱された熱媒体の一部がシスターン１４と床暖房パネル１５とを介して床暖房用熱媒循環路１６に循環されるようにしている。
【００１５】
浴室暖房機１は、更に、その下面カバー２に設けられた浴室ＢＲに臨むミストノズル１８と、ミストノズル１８に水を供給する給水路１９と、液々熱交換器２０とを備えている。液々熱交換器２０は、一次側２０ａが浴室暖房用熱媒循環路１１から分岐させたミスト用熱媒循環路２１に介設され、二次側２０ｂが給水路１９に介設されている。ミスト用熱媒循環路２１は、浴室暖房用熱媒循環路１１の往路１１ａから分岐されて液々熱交換器２０の一次側２０ａの入口に接続される流入路２１ａと、浴室暖房用熱媒循環路１１の復路１２ｂから分岐されて液々熱交換器２０の一次側２０ａの出口に接続される流出路２１ｂとで構成されている。流出路２１ｂには、熱媒体の流量が調節可能で、且つ、熱媒体の循環を遮断可能なミスト用熱媒弁２２が介設されている。熱源機８を作動させると共にミスト用熱媒弁２２を開弁させると、熱交換器１０で加熱された熱媒体が液々熱交換器２０の一次側２０ａに、ミスト用熱媒循環路２１を介して循環する。そして、この熱媒体により、ミストノズル１８に供給する水が液々熱交換器２０を介して加熱されるようにしている。
【００１６】
給水路１９には、液々熱交換器２０の上流側に位置させて開閉弁から成る給水弁２３が介設されると共に、液々熱交換器２０の下流側に位置させて開閉弁から成るミスト弁２４が介設されている。更に、液々熱交換器２０とミスト弁２４との間の給水路１９の部分には、水温検出手段たるミストサーミスタ２５が設けられている。
【００１７】
上記した循環ファン６、浴室暖房用熱媒弁１２、ミスト用熱媒弁２２、給水弁２３及びミスト弁２４は、浴室暖房機１のコントローラＣ１により制御される。このコントローラＣ１には、ミストサーミスタ２５の検出信号が入力される。また、浴室暖房機１のコントローラＣ１は、熱源機８のコントローラＣ２に通信可能に接続されており、更に、浴室ＢＲに設置するリモコンが通信可能に接続されている。そして、熱源機８を作動させると共にミスト用熱媒弁２２を開弁させて、ミストノズル１８に供給する水を液々熱交換器２０を介して加熱して、ミストノズル１８から噴霧させる温水ミスト運転と、ミスト用熱媒弁２２を閉弁させて、ミストノズル１８に供給する水を加熱せずに、ミストノズル１８から噴霧させる冷水ミスト運転とをリモコンに設けられた温水ミストスイッチと冷水ミストスイッチにより選択可能としている。
【００１８】
温水ミスト運転時には、ミストサーミスタ２５の検出温度が所定の設定温度となるようにミスト用熱媒循環路２１に流れる熱媒体の流量をミスト用熱媒弁２２で制御する。
【００１９】
ところで、ミスト用熱媒弁２２は弁が開いた状態で制御不能（開故障）となることがある。この場合、熱源機８が作動していると、冷水ミスト運転を行おうとしても、ミスト用熱媒循環路２１に液々熱交換器２０の一次側２０ａを介して加熱された熱媒体が循環し、ミストノズル１８に供給する水が加熱されてしまう。
【００２０】
そこで、本実施形態では、熱源機８が作動している状態で冷水ミスト運転が選択されたとき、コントローラＣ１は、ミスト用熱媒弁２２を閉弁する指令を出力することと、この出力時点から所定時間経過後に、ミストサーミスタ２５の検出温度が所定温度以上であるか否かを判別することとを行う検査運転を実行する。そして、検出温度が所定温度以上であると、ミスト用熱媒弁２２が開故障をしていると判断する。
【００２１】
更に、検査運転中は冷水ミスト運転を開始せず、ミスト用熱媒弁２２が開故障していると判断しないときに冷水ミスト運転を開始する。
【００２２】
一方、熱源機８が作動していない状態で冷水ミスト運転が選択されたときは、熱源機８を作動させて加熱した熱媒体を循環させ、検査運転を実行する。
【００２３】
以下、図２を参照して、冷水ミスト運転について詳述する。先ず、使用者がリモコンの冷水ミストスイッチをオンして、冷水ミスト運転が選択されると、ＳＴＥＰ１で、熱源機８が作動しているか否かを判別する。熱源機８が作動していない場合は、ＳＴＥＰ２で、熱源機８を作動させてからＳＴＥＰ３に進む。一方、床暖房運転中や浴室暖房運転中で熱源機８が作動している場合は、直接ＳＴＥＰ３に進む。そして、ＳＴＥＰ３で、ミスト用熱媒弁２２を閉弁する指令を出力すると共に、給水弁２３及びミスト弁２４を閉弁する指令を出力する。
【００２４】
続けて、ＳＴＥＰ４で、ミストサーミスタ２５による温度検出を開始し、ミストサーミスタ２５の検出温度が所定温度ＹＴ（例えば、６０℃）以上であるか否を判別し、ミストサーミスタ２５の検出温度がＹＴ以上である限り、ＳＴＥＰ５で、ミスト用熱媒弁２２を閉弁する指令の出力時点から所定時間（例えば、６０秒）経過したか否かを判別する。そして、所定経過後に検出温度がＹＴ以上であると、ＳＴＥＰ６で、ミスト用熱媒弁２２が開故障していると判断する。この場合は、冷水ミスト運転を行わず、ＳＴＥＰ７で、エラー表示をする。尚、本実施形態では、ＳＴＥＰ３〜ＳＴＥＰ５の処理で検査運転が行われることになる。
【００２５】
所定時間経過前に、ＳＴＥＰ４で、検出温度がＹＴ未満であると判断すると、ＳＴＥＰ８で、給水弁２３及びミスト弁２４を開弁する指令を出力し、冷水ミスト運転を開始する。その後、ＳＴＥＰ９で、冷水ミスト運転の停止指令があるか否かを判別し、停止指令がないと、ＳＴＥＰ１０で、ミストサーミスタ２５の検出温度がＹＴ以上であるか否を判別する。検出温度がＹＴ以上であると、ＳＴＥＰ１１で、ミスト用熱媒弁２２が開故障していると判断し、ＳＴＥＰ１２で、給水弁２３及びミスト弁２４を閉弁する指令を出力して、冷水ミスト運転を停止し、ＳＴＥＰ１３で、エラー表示をする。ＳＴＥＰ１０で、検出温度がＹＴ未満であると判断すると、ＳＴＥＰ８に戻る。
【００２６】
また、ＳＴＥＰ９で、冷水ミスト運転の停止指令があると判断すると、ＳＴＥＰ１４で、給水弁２３及びミスト弁２４を閉弁する指令を出力し、冷水ミスト運転を終了する。
【００２７】
ここで、ミスト用熱媒弁２２が開故障している場合、熱源機８が作動していると、ミスト用熱媒循環路２１に加熱された熱媒体が循環して、液々熱交換器２０の二次側２０ｂの水が加熱され続け、ミストサーミスタ２５の検出温度はミスト用熱媒弁２２の閉弁指令の出力時点から所定時間経過しても所定温度ＹＴ以上となる。従って、本実施形態の検査運転を実行することにより、ミスト用熱媒弁２２の開故障の有無を判別できる。
【００２８】
また、本実施形態によれば、熱源機８が作動していない状態で冷水ミスト運転が選択されたときにも、熱源機８を作動させて加熱した熱媒体を循環させ、検査運転を実行することにより、ミスト用熱媒弁２２の開故障の有無を判別でき、ミスト用熱媒弁２２の開故障の早期発見が可能となる。
【００２９】
以上、本発明の実施形態について図面を参照して説明したが、本発明はこれに限定されない。例えば、上記実施形態では、検査運転中は冷水ミスト運転を開始せず、ミスト用熱媒弁２２が開故障していると判断しないときに冷水ミスト運転を開始するが、検査運転の開始と同時に冷水ミスト運転を開始し、ミスト用熱媒弁２２が開故障していると判断したときに冷水ミスト運転を停止してもよい。
【００３０】
また、上記実施形態では、熱媒利用端末として放熱器７と床暖房パネル１５とを設けているが、ラジエータを用いた暖房端末や風呂追焚き用液々熱交換器等を熱媒利用端末として設けてもよい。
【００３１】
更に、上記実施形態では、浴室暖房機１にミストサウナ装置が組み込まれているが、浴室暖房機１から分離独立して設けられるミストサウナ装置にも同様に本発明を適用できる。
【符号の説明】
【００３２】
ＢＲ…浴室、７…放熱器（熱媒利用端末）、８…熱源機、１５…床暖房パネル（熱媒利用端末）、１８…ミストノズル、１９…給水路、２０…液々熱交換器、２１…ミスト用熱媒循環路、２２…熱媒弁、２５…ミストサーミスタ（水温検出手段）。
【図１】
2015150264.tif 000003
【図２】
2015150264.tif 000004